(57)【要約】【課題】照明表示装置周辺の作業空間が狭い場合であっても、容易に、照明表示装置の光源強度を調節できる表示装置及び方法を提供する。また、熟練でないユーザによっても、容易に、照明表示装置の光源強度を調節できる表示装置及び方法を提供する。【解決手段】表示装置は、ビデオ・カメラからの映像出力信号をＲＧＢ化して生成される映像データと、映像データ内に指定される位置の映像信号レベルと、映像信号レベルが所定の範囲内にあるか否かを示す判定データとを受信する。表示装置がこれらのデータを無線を介して受信することにより、ユーザは、表示装置を、狭い作業空間に持ち込むことが可能となる。また、表示装置が、映像信号レベル及び判定を表示手段に表示することにより、ユーザは、容易に、照明表示装置の光源強度を調節することが可能となる。【選択図】図１
2004147005.tif 000002
【特許請求の範囲】
【請求項１】
映像信号レベルを測定する測定器であって、該測定器は、
ａ）被撮影物を撮影するビデオ・カメラから、輝度信号と色差信号とを含む映像出力信号を入力し、前記映像出力信号をＲＧＢ化処理して映像データを生成する手段と、
ｂ）前記映像データ内に指定される位置の映像信号レベルを測定し、映像信号レベル・データを生成する手段と、
ｃ）前記映像データと前記映像信号レベル・データとを含む表示データを生成する手段と、
を備える測定器。
【請求項２】
請求項１に記載の測定器において、該装置はさらに、
ｄ）前記位置に対応する位置データを、映像信号レベルを表示する表示装置から受信する手段と、
ｅ）前記表示データを、前記表示装置に対して送信する手段と、
を備える測定器。
【請求項３】
請求項２に記載の測定器において、
前記手段ｄ）は、前記位置データを、無線を介して受信し、
前記手段ｅ）は、前記表示データを、無線を介して送信する、測定器。
【請求項４】
請求項１に記載の測定器において、該測定器はさらに、
ｆ）前記映像信号レベルが所定の範囲内にあるか否かを判定し、判定データを生成する手段を備え、
前記手段ｃ）は、前記判定データをさらに含む前記表示データを生成する、測定器。
【請求項５】
請求項４に記載の測定器において、
前記手段ｂ）は、赤色、緑色及び青色の映像信号レベル・データからなる前記映像信号レベル・データを生成し、
前記手段ｆ）は、赤色、緑色及び青色の判定データからなる前記判定データを生成する、測定器。
【請求項６】
請求項４に記載の測定器において、
前記手段ｂ）は、少なくとも輝度又は色差の成分を含む前記映像信号レベル・データを生成し、
前記手段ｆ）は、少なくとも輝度又は色差の成分を含む前記判定データを生成する、測定器。
【請求項７】
請求項２に記載の測定器において、
前記手段ｃ）は、前記表示データをＷｅｂコンテンツ・データ形式で生成し、前記手段ｅ）は、Ｗｅｂコンテンツ・データ形式の前記表示データを送信する、測定器。
【請求項８】
請求項１に記載の測定器において、該測定器はさらに、
ｇ）前記映像データ内に指定される位置に対応するポインタ・データを生成する手段を備え、
前記手段ｃ）は、前記ポインタ・データをさらに含む前記表示データを生成する、測定器。
【請求項９】
請求項１に記載の測定器において、該測定器はさらに、
ｈ）前記手段ａ）によって生成される前記映像データを、指定される倍率データに対応する倍率で、拡大し又は縮小する手段を備え、
前記手段ｃ）は、拡大され又は縮小された映像データを含む前記表示データを生成する、測定器。
【請求項１０】
請求項１〜請求項９の何れか１項に記載の測定器において、
該測定器が、ウェーブ・フォーム・モニタである、測定器。
【請求項１１】
映像信号レベルを表示する表示装置であって、該表示装置は、
ａ）映像データと映像信号レベル・データとを含む表示データを、映像信号レベルを測定する測定器から受信する手段と、
ｂ）前記表示データを視覚化し、映像と映像信号レベルとを表示する手段と、
ｃ）表示された前記映像内の位置を指定し、位置データを生成する手段と、
ｄ）前記位置データを、前記測定器に対して送信する手段と、
を備える表示装置。
【請求項１２】
請求項１１に記載の表示装置において、
前記手段ａ）は、前記表示データを、無線を介して受信し、
前記手段ｄ）は、前記位置データを、無線を介して送信する、表示装置。
【請求項１３】
請求項１１に記載の表示装置において、
前記手段ａ）は、前記映像信号レベルが所定の範囲内にあるか否かを示す判定データをさらに含む前記表示データを受信し、
前記手段ｂ）は、前記判定データをさらに含む前記表示データを視覚化し、判定をさらに表示する、表示装置。
【請求項１４】
請求項１３に記載の表示装置において、
前記手段ａ）は、赤色、緑色及び青色の映像信号レベル・データからなる前記映像信号レベル・データと赤色、緑色及び青色の判定データからなる前記判定データとを含む前記表示データを受信し、
前記手段ｂ）は、前記表示データを視覚化し、赤色、緑色及び青色の映像信号レベルからなる像信号レベルと赤色、緑色及び青色の判定からなる判定とを表示する、表示装置。
【請求項１５】
請求項１３に記載の表示装置において、
前記手段ａ）は、少なくとも輝度又は色差の成分を含む前記映像信号レベル・データと少なくとも輝度又は色差の成分を含む前記判定データとを含む前記表示データを受信し、
前記手段ｂ）は、前記表示データを視覚化し、少なくとも輝度又は色差の成分を含む像信号レベルと少なくとも輝度又は色差の成分を含む判定とを表示する、表示装置。
【請求項１６】
請求項１１に記載の表示装置において、該表示装置さらに、Ｗｅｂブラウザ機能を有し、
前記手段ａ）は、Ｗｅｂコンテンツ・データ形式の前記表示データをで受信し、
前記手段ｂ）は、前記Ｗｅｂブラウザ機能を利用して、Ｗｅｂコンテンツ・データ形式の前記表示データを視覚化する、表示装置。
【請求項１７】
請求項１６に記載の表示装置において、
該表示装置が、ＰＤＡ（Ｐｅｒｓｏｎａｌ　Ｄａｔａ　Ａｓｓｉｓｔａｎｔ）である、表示装置。
【請求項１８】
請求項１１に記載の表示装置において、該表示装置さらに、ｅ）前記映像データ内に指定される位置に対応するポインタ・データを生成し、前記ポインタ・データをさらに含む前記表示データを生成する手段を備える表示装置。
【請求項１９】
請求項１１に記載の表示装置において、該表示装置はさらに、
ｆ）映像を拡大し又は縮小する倍率を指定し、倍率データを生成する手段を含み、
前記手段ｄ）は、前記倍率データを前記測定器に対して送信し、
前記手段ａ）は、拡大され又は縮小された映像データを含む前記表示データを前記測定器にから受信する表示装置。
【発明の詳細な説明】
【０００１】
【発明の属する技術分野】
本発明は、映像信号レベルを測定する測定器、及び、映像信号レベルを表示する表示装置に関連し、特に、映像信号レベルを測定するウェーブ・フォーム・モニタ、及び、無線を介してウェーブ・フォーム・モニタと通信して映像信号レベルを表示する表示装置に関連する。
【０００２】
【従来の技術】
例えば、テレビ制作、映画製作などの映像撮影プロセスは、照明表示装置で被撮影物を照らし、照明表示装置の光源の強度を調整しながら被撮影物を撮影するプロセスを含んでいる。照明表示装置の光源強度が適切であるか否かを把握する方法として、照明で照らされた被撮影物の輝度を輝度計を用いて測定する方法と、被撮影物を撮影するビデオ・カメラからの映像出力信号をウェーブ・フォーム・モニタを用いて映像信号レベルを読み取る方法とがある。
【０００３】
後者の方法において、ビデオ・カメラと照明表示装置とが離れている場合がある。即ち、例えば、ビデオ・カメラがスタジオ内の床付近にあり、照明表示装置がスタジオ内の天井付近にある場合がある。この場合、照明表示装置のユーザは、スタジオ内の床付近から天井付近までの長い延長ケーブルを使用し（ビデオ・カメラの映像出力端子とウェーブ・フォーム・モニタの映像入力端子との間に、延長ケーブルを接続し）、照明表示装置に近い天井付近にウェーブ・フォーム・モニタ自身を持ち込み、照明表示装置の光源強度を調整していた。
【０００４】
このような状況において、以下のような３つの問題があった。第１の問題は、照明表示装置周辺の作業空間が狭い場合、ウェーブ・フォーム・モニタ自身をその作業空間に持ち込むことが、困難であった。第２の問題は、照明表示装置が複数ある場合、ある１つの照明表示装置の光源強度を調節した後、もう１つの照明表示装置の光源強度を調節するために、ウェーブ・フォーム・モニタ及び延長ケーブルを、再度、もう１つの照明表示装置付近まで、運ぶ必要があった。第３の問題は、延長ケーブルが長いため、映像出力信号が、劣化していた。
【０００５】
また、ビデオ・カメラと照明表示装置とが離れているか否かに拘わらず、第４の問題があった。この問題は、ウェーブ・フォーム・モニタのディスプレイに表示されるウェーブ・フォームから、映像信号レベルを把握することが、熟練のユーザによってのみ、容易に為し得ることであった。即ち、熟練者のみが、図７ａに示される映像に対応する図７ｂに示される複雑な波形（輝度及び色差情報を含む波形が各ライン毎に重畳された波形）から、必要とする部分を容易に見つけだし、その部分のみに着目して映像内のある点（例えば、図７ａ中の符号７１又は７２に対応する「＋」マークの位置）の輝度を読み取っていた。言い換えれば、熟練でないユーザにとって、図７ｂに示されるウェーブ・フォームの波形を見て、映像内のある点の輝度を読み取ることは、困難であった。
【０００６】
さらに、映像撮影プロセスは、同じ被撮影物を複数回撮影するプロセスを含むことが多い。このような場合、例えば、図７ａ中の符号７１に対応する「＋」マークの位置において、最初に撮影した映像信号レベルとその後に撮影する映像信号レベルとを一致させる必要がある。従って、第５の問題は、図７ｂに示されるウェーブ・フォームの波形を見ながら、映像信号レベルを一致させることが、熟練のユーザによってのみ、容易に為し得ることであった。
【０００７】
なお、出願人は、出願時において、本発明に関連する発明として、特許文献１を以下に示す。
【０００８】
【特許文献１】
特開平１０−３４０１３３号公報（第２−３頁、第２図）
【０００９】
【発明が解決しようとする課題】
上記問題を解決するために、従来のウェーブ・フォーム・モニタに、例えば、上述の特許文献１に記載されている従来技術を適用することが考えられる。この場合、図８に示すように、延長ケーブル１２０及び１２１を用いて、ウェーブ・フォーム・モニタのディスプレイ部１０４及び操作部１０３を、ウェーブ・フォーム・モニタ１０２から分離することができる。
【００１０】
このように、従来のウェーブ・フォーム・モニタに、特許文献１に記載されている従来技術を適用すれば、上記第１の問題を軽減することができる。しかしながら、作業空間が狭い場合、依然として、延長ケーブルを持ち込むことは、煩雑である。また、上記第２の問題も、上記第１の問題と同様に、延長ケーブルを、再度、運ぶことは、煩雑である。上記第４及び第５の問題は、依然として解消されない。なお、ビデオ・カメラの映像出力端子とウェーブ・フォーム・モニタの映像入力端子との間のケーブルを短くすることができるため、映像出力信号の劣化が比較的軽減され、上記第３の問題は、ある程度解消される。
【００１１】
従って、本発明の目的は、照明表示装置周辺の作業空間が狭い場合であっても、ウェーブ・フォーム・モニタの機能を利用しながら、容易に、照明表示装置の光源強度を調節できる表示装置及び方法を提供することである。
【００１２】
また、本発明のもう１つの目的は、照明表示装置が複数ある場合であっても、容易に、照明表示装置の光源強度を調節できる表示装置及び方法を提供することである。
【００１３】
さらに、本発明の別の目的は、熟練でないユーザによっても、容易に、照明表示装置の光源強度を調節できる表示装置及び方法を提供することである。
【００１４】
【課題を解決するための手段】
上記目的を達成するために、本発明の測定器は、映像信号レベルを測定する測定器であって、ａ）被撮影物を撮影するビデオ・カメラから、輝度信号と色差信号とを含む映像出力信号を入力し、前記映像出力信号をＲＧＢ化処理して映像データを生成する手段と、ｂ）前記映像データ内に指定される位置の映像信号レベルを測定し、映像信号レベル・データを生成する手段と、ｃ）前記映像データと前記映像信号レベル・データとを含む表示データを生成する手段と、ｄ）前記位置に対応する位置データを、映像信号レベルを表示する表示装置から無線を介して受信する手段と、ｅ）前記表示データを、前記表示装置に対して無線を介して送信する手段と、を備える。
【００１５】
また、本発明の測定器はさらに、ｆ）前記映像信号レベルが所定の範囲内にあるか否かを判定し、判定データを生成する手段を備え、前記手段ｃ）は、前記判定データをさらに含む前記表示データを生成する。
【００１６】
さらに、上記目的を達成するために、本発明の表示装置は、映像信号レベルを表示する表示装置であって、ａ）映像データと映像信号レベル・データとを含む表示データを、映像信号レベルを測定する測定器から無線を介して受信する手段と、ｂ）前記表示データを視覚化し、映像と映像信号レベルとを表示する手段と、ｃ）表示された前記映像内の位置を指定し、位置データを生成する手段と、ｄ）前記位置データを、前記測定器に対して無線を介して送信する手段と、を備える。
【００１７】
また、本発明の表示装置において、前記手段ａ）は、前記映像信号レベルが所定の範囲内にあるか否かを示す判定データをさらに含む前記表示データを受信し、前記手段ｂ）は、前記判定データをさらに含む前記表示データを視覚化し、判定をさらに表示する。
【００１８】
【発明の実施の形態】
以下に、本発明の実施の形態について、図面を参照して説明する。
（第１の実施の形態）
図１は、無線を介して測定器と通信して映像信号レベルを表示する本発明の表示装置の表示エリア及び指定手段の一例を示す図である。また、図２は、映像信号レベルを表示する本発明の表示装置及び測定器の機能ブロックの一例を示す図である。
【００１９】
図１及び図２に示すように、映像信号レベルを表示する本発明の表示装置１０は、ａ）表示エリア２０内に表示される映像２２の任意の位置２１を指定し、位置データを生成する指定手段３０と、ｂ）位置データを測定器５０に対して無線を介して送信する送信手段３１と、ｃ）映像データと、位置２１に対応する映像信号レベル・データと、位置２１に対応するポインタ・データとを、測定器５０から無線を介して受信する受信手段３２と、ｄ）映像データと映像信号レベル・データとポインタ・データとを視覚化し、映像２２と映像信号レベル２３とポインタ２１とを表示エリア２０内に表示する表示手段３３と、を備える。
【００２０】
また、本発明の表示装置１０は、ｅ）指定手段３０が指定する位置２１に対応する位置データを、コード変換して映像信号上の位置を表すライン番号データ及び水平時間データを生成し、その後、Ｐ→Ｓ変換して並列データを直列データに変換する信号変換手段３５を備える。
【００２１】
なお、表示装置１０は、ｆ）映像データを表示する倍率を指定し、倍率データを生成する入力手段２５を備えることもできる。
一方、図２に示すように、測定器５０は、ａ’）位置データ、倍率データなどのデータを、表示装置１０から無線を介して受信する受信手段６１と、ｂ’）被撮影物を撮影するビデオ・カメラから、輝度信号（Ｙ）と第１色差信号（Ｃｒ）と第２色差信号（Ｃｂ）とを含む映像出力信号を入力し、その映像出力信号をＲＧＢ化処理して映像データを生成する信号処理回路５２と、ｃ’）測定器５０の動作を制御する制御手段であって、映像データ内に指定される位置の映像信号レベルを測定し、映像信号レベル・データを生成し、また、その映像信号レベルが所定の範囲内にあるか否かを判定し、判定データを生成する制御手段５１と、ｄ’）映像データを、拡大処理など必要に応じて適宜に解像度変換し、ＮＴＳＣタイミングの映像データを生成する画像処理手段５３と、ｅ’）映像データをＮＴＳＣ形式に符号化するＮＴＳＣエンコーダ６３と、ｆ’）映像信号レベル・データ、判定データなどの文字データを入力して文字データに対応する画像データを生成し、また、映像データにその画像データを重畳して表示データを生成するＯＳＤ６４（Ｏｎ　Ｓｃｒｅｅｎ　Ｄｉｓｐｌａｙ）と、ｇ’）表示データを表示手段１０に対して無線を介して送信する送信手段６５と、を備える。なお、測定部５７は、制御手段５１と信号処理回路５２と画像処理手段５３とを含む。
【００２２】
以下に、本発明の表示装置１０及び測定器５０の動作を具体的に説明する。
まず、表示装置１０のユーザは、表示エリア２０内に表示された映像データ内の映像信号レベル２３を把握したい位置に、ポインタ２１が位置するように、指定手段３０（例えば、図１に示すキーパッド）を操作する。この時、信号変換手段３５は、指定手段３０が指定する位置２１に対応する位置データを、コード変換及びＰ→Ｓ変換し、その後、変換された位置データ（ライン番号データ及び水平時間データ）を送信手段３１から送信するように制御する。
【００２３】
なお、指定される位置２１が、ユーザの操作によって変化するか否かに拘わらず、指定手段３０は、位置２１に対応する位置データを、常に、或いは連続的に、信号変換手段３５に出力している。即ち、指定される位置２１が、ユーザの操作によって変化しない場合、信号変換手段３５は、常に同一の位置データを送信手段３１から連続的に送信するように制御する。一方、指定される位置２１が、ユーザの操作によって変化する場合、信号変換手段３５は、変化する位置データを送信手段３１から連続的に送信するように制御する。このように、信号変換手段３５が位置データを送信手段３１から連続的に送信するように制御することにより、ユーザの指定手段３０の操作に連動して、ポインタ２１は、表示データ内をリアルタイムで移動すること（表示手段３３にリアルタイムで表示されること）が可能となる。
【００２４】
また、表示装置１０のユーザは、表示エリア２０内に表示された映像データ２２を拡大又は縮小したい場合、好みの倍率になるように、入力手段２５（例えば、図１に示すキーパッド）を操作する。このとき、入力手段２５は、倍率データ（例えば、倍率を１倍上げるデータ、倍率を１倍下げるデータ）を送信手段３１に出力する。
【００２５】
送信手段３１は、位置データ、倍率データなどの伝送データを測定器５０に対して無線を介して、連続的に、或いはリアルタイムで送信する。送信手段３１は、例えば、ＳＳ（Ｓｐｅｃｔｒｕｍ　Ｓｐｒｅａｄ）トランスミッタとアンテナとを備える。また、ＳＳトランスミッタは、伝送データを、例えば、直接拡散方式で、拡散符号化し、拡散符号化された伝送データを、例えば、２．４ＧＨｚの周波数帯域で、アンテナを介して測定器５０に対して送信する。
【００２６】
測定器５０（例えば、ウェーブ・フォーム・モニタ）の受信手段６１は、位置データ、倍率データなどの伝送データを表示装置１０から無線を介して、連続的に、或いはリアルタイムで受信する。受信手段６１は、例えば、ＳＳレシーバとアンテナとを備える。ＳＳレシーバは、拡散符号化された伝送データを復号化し、復号化された伝送データを、測定部５７の制御手段５１に出力する。
【００２７】
制御手段５１（例えば、ＣＰＵ）は、受信手段６１からの位置データ及び倍率データと、信号処理回路５２からの映像データとを入力する。制御手段５１は、位置データ（ライン番号データ及び水平時間データ）に基づいて、映像データ内に指定される位置２１に対応するポインタ・データをリアルタイムで生成し、生成したポインタ・データ（例えば、位置２１を中心とする「＋」を表す画像データ）を画像処理手段５３のＲＧＢ出力回路にリアルタイムで出力する。
【００２８】
また、制御手段５１は、倍率データに基づいて表示倍率データを決定し、表示倍率データ及び位置データを画像処理手段５３の解像度変換ＬＳＩに出力する。このとき、例えば、倍率データが倍率を１倍上げるデータであり、かつ現在の表示倍率データが「１倍」である場合、制御手段５１は、表示倍率データを「２倍」に決定する。
【００２９】
さらに、制御手段５１は、位置データに基づいて、ライン番号データ及び水平時間データに対応する映像データの映像信号レベル２３（ＲＧＢ値及び／又はＹＣｂＣｒ値）をリアルタイムで検出し、検出した映像信号レベル２３に対応する映像信号レベル・データ（例えば、文字データ）をリアルタイムで生成し、生成した映像信号レベル・データをＯＳＤ６４にリアルタイムで出力する。
【００３０】
また、制御手段は、表示倍率データ（例えば、文字データ）をリアルタイムで生成し、ＯＳＤ６４にリアルタイムで出力する。
なお、映像信号レベル２３は、例えば、位置２１に対応する映像データの１画素のＲＧＢ各色及び／又はＹＣｂＣｒ各値の信号レベル（％）、或いは、位置２１に対応する映像データの１画素を含む周辺の数画素のＲＧＢ各色及び／又はＹＣｂＣｒ各値の平均信号レベル（％）である。
【００３１】
制御手段５１はさらに、映像信号レベル２３をリアルタイムで測定するとともに、映像信号レベル２３が所定の範囲内にあるか否かをリアルタイムで判定することが好ましい。この時、制御手段５１は、例えば、各色の映像信号レベル（％）が、各色毎に予め設定される下限値（％）〜上限値（％）の範囲内にあるか否か、或いは、各色の映像信号レベル（％）が、各色毎に予め設定される下限値（％）〜上限値（％）の範囲外にあるか否かを判定する。
【００３２】
例えば、下限値（％）は、最初に撮影した映像信号レベルから２％低い値に設定され、上限値（％）は、最初に撮影した映像信号レベルから２％高い値に設定される。具体的に、図７ａ中の符号７１に対応する「＋」マークの位置（紫色の花びら）において、最初に撮影した映像信号レベルが、Ｒ：９８％、Ｇ：５４％、Ｂ：９８％であった場合、Ｒの許容範囲は、９６〜１００％に、Ｇの許容範囲は、５２〜５６％に、Ｇの許容範囲は、９６〜１００％に設定される。また、図７ａ中の符号７２に対応する「＋」マークの位置（黄緑色の茎）において、最初に撮影した映像信号レベルが、Ｒ：４７％、Ｇ：８４％、Ｂ：３０％であった場合、Ｒの許容範囲は、４５〜４９％に、Ｇの許容範囲は、８２〜８６％に、Ｇの許容範囲は、２８〜３２％に設定される。
【００３３】
その後、制御手段５１は、映像信号レベル２３が各色毎に所定の範囲内にあるか否かを表す判定データ（例えば、映像信号レベルが所定の範囲内にある場合：「ＯＫ」を表す文字データ、映像信号レベルが所定の範囲内にない場合：「ＮＧ」を表す文字データ）をリアルタイムで生成する。その後、制御手段５１は、生成した判定データをＯＳＤ６４にリアルタイムで出力する。
【００３４】
信号処理回路５２は、被撮影物を撮影するビデオ・カメラからの映像出力信号を、例えば、ＳＤＩ（Ｓｅｒｉａｌ　Ｄｉｇｉｔａｌ　Ｉｎｔｅｒｆａｃｅ）形式でリアルタイムで入力する。信号処理回路５２は、映像出力信号をＲＧＢ化処理してＰＩＣデータ形式（例えば７２０×４８０）の映像データを画像処理手段５３の解像度変換ＬＳＩと制御手段５１とにリアルタイムで出力する。
【００３５】
画像処理手段５３（例えば、ＸＧＡボート）の解像度変換ＬＳＩは、信号処理回路５２からの映像データと制御手段５１からの表示倍率データ及び位置データとをリアルタイムで入力する。解像度変換ＬＳＩは、映像データを、表示倍率データ及び位置データに基づいて適宜に解像度変換する。このとき、例えば、表示倍率データが「１倍」である場合、解像度変換ＬＳＩは、入力した映像データをそのまま画像処理手段５３のＲＧＢ出力回路にリアルタイムで出力する。或いは、表示倍率データが「２倍」である場合、解像度変換ＬＳＩは、例えば、位置２１（ポインタ２１）を中心に２倍の大きさに見えるように映像データの解像度を変換し、変換した映像データをＲＧＢ出力回路に出力する。
【００３６】
画像処理手段５３のＲＧＢ出力回路は、解像度変換ＬＳＩからの映像データと制御手段５１からのポインタ・データとをリアルタイムで入力する。ＲＧＢ出力回路は、映像データ及びポインタ・データを含む、ＮＴＳＣタイミングの合成映像データをリアルタイムで生成し、生成した合成映像データをＮＴＳＣエンコーダ６３にリアルタイムで出力する。なお、合成映像データは、例えば、映像データの上にポインタ２１が重なるように、生成される。
【００３７】
ＮＴＳＣエンコーダ６３は、ＲＧＢ出力回路から合成映像データをリアルタイムで入力する。ＮＴＳＣエンコーダは、合成映像データをＮＴＳＣ形式にリアルタイムで符号化し、符号化した合成映像データ（コンポジット信号）をＯＳＤ６４にリアルタイムで出力する。
【００３８】
ＯＳＤ６４は、ＮＴＳＣエンコーダ６３からの合成映像データと制御手段５１からの映像信号レベル・データ、判定データ及び表示倍率データとをリアルタイムで入力する。ＯＳＤ６４は、映像信号レベル・データ、判定データ及び表示倍率データを、対応する画像データに変換し、それらの画像データを合成映像データに重畳する。言い換えれば、ＯＳＤ６４は、合成映像データと映像信号レベル・データ、判定データ及び表示倍率データを含む表示データ（コンポジット信号）をリアルタイムで生成する。なお、表示データは、例えば、合成映像データの上に、映像信号レベル２３、判定２４及び表示倍率が重なるように、生成される。
【００３９】
測定器５０の送信手段６５は、（映像データ及びポインタ・データと映像信号レベル・データ、判定データ及び表示倍率データとを含む）表示データを、表示装置１０に対して無線を介して、リアルタイムで送信する。送信手段６５は、例えば、映像トランスミッタとアンテナとを備える。また、映像トランスミッタは、表示データを、例えば、ＦＭ方式で、例えば、１．２ＧＨｚの周波数帯域で、アンテナを介して表示装置１０に対して送信する。なお、ＦＭ方式で表示データを変調することにより、表示データが伝送中に受けるノイズの影響を低減できる。
【００４０】
表示装置１０の受信手段３２は、表示データを測定器５０から無線を介して、リアルタイムで受信する。受信手段３２は、例えば、ビデオ・レシーバとアンテナとを備える。ビデオ・レシーバは、受信した表示データを、表示手段３３に出力する。
【００４１】
表示手段３３（例えば、ＬＣＤビデオ・モニタ）は、図１に示すように、表示データを視覚化し、映像２２と映像信号レベル２３とポインタ２１と判定２４と表示倍率とを表示エリア２０内にリアルタイムで表示する。
【００４２】
このように、本発明の表示装置１０によれば、無線を介して、ウェーブ・フォーム・モニタの機能を利用することができる。即ち、表示装置１０は、ビデオ・カメラからの映像出力信号を画像化及び数値化処理して生成される映像データ及び映像信号レベル・データを、無線を介して受信し、映像２２及び信号レベル２３を表示することができる。従って、照明表示装置周辺の作業空間が狭い場合であっても、ウェーブ・フォーム・モニタと比べて小さい表示装置１０をその作業空間に持ち込むことは、容易となる。
【００４３】
また、本発明の表示装置１０は、信号レベル・データを、無線又は有線を介して受信し、映像２２とともに、ポインタ２１に対応する映像信号レベル２３を表示することができる。従って、熟練でないユーザによっても、照明表示装置の光源強度が適切であるか否かを把握することは、容易となる。結果として、表示装置１０のユーザは、映像信号レベル２３を見ながら、容易に、照明表示装置の光源強度を調節することができる。
【００４４】
また、本発明の表示装置１０によれば、判定２４を表示することもできる。この場合、熟練でないユーザによっても、判定２４の結果を見ながら、最初に撮影した映像信号レベルとその後に撮影する映像信号レベルとを一致させることは、一層容易となる。
【００４５】
さらに、本発明の表示装置１０によれば、映像データ、ポインタ・データ、映像信号レベル・データ、判定データ等のデータを、無線を介して受信することができる。従って、照明表示装置が複数ある場合であっても、表示装置１０をそれぞれの作業空間に持ち込むことは、容易となる。結果として、表示装置１０のユーザは、様々なデータを見ながら、容易に、照明表示装置の光源強度を調節することができる。
【００４６】
加えて、本発明の表示装置１０によれば、映像データを表示する倍率を入力する入力手段２５を備えることもできる。従って、小型な表示装置１０であっても、表示装置１０のユーザは、容易に、拡大された映像２２を見ながら、照明表示装置の光源強度を調節することができる。
【００４７】
（第２の実施の形態）
図３は、図２に示す表示装置及び測定器の機能ブロックの変形例を示す図である。ビデオ・カメラからの映像出力信号が、ＨＤＴＶ（Ｈｉｇｈ　Ｄｅｆｉｎｉｔｉｏｎ　ＴｅｌｅＶｉｓｉｏｎ）形式の信号である場合、図３に示すように、測定器５０は、画像処理手段５３とＮＴＳＣエンコーダ６３との間に、ダウンコンバータ６２を備える。また、測定器５０の画像処理手段５３は、ＮＴＳＣタイミングのＲＧＢ出力回路の代わりに、ＸＧＡタイミングのＲＧＢ出力回路を備える。以下に、図２に示す表示装置１０及び測定器５０の動作と異なる動作を説明する。
【００４８】
信号処理回路５２は、ＨＤＴＶ形式の映像出力信号を入力する。信号処理回路５２は、ＨＤＴＶ形式の映像出力信号をＲＧＢ化処理してＰＩＣデータ形式（１０２４×７６８）の映像データを画像処理手段５３の解像度変換ＬＳＩにリアルタイムで出力する。
【００４９】
画像処理手段５３のＲＧＢ出力回路は、ＸＧＡタイミングの合成映像データをダウンコンバータ６２に出力する。
ダウンコンバータ６２は、画像処理手段５３のＸＧＡタイミングのＲＧＢ出力回路から、合成映像データを入力する。ダウンコンバータ６２は、合成映像データの走査線を１０２４本から５２５本に、合成映像データの解像度を１０２４×７６８画素から７２０×４８０画素に、変換する。
【００５０】
（第３の実施の形態）
図４は、図３に示す表示装置及び測定器の機能ブロックの変形例を示す図である。表示データを表示装置１０側で生成する場合、図４に示すように、測定器５０は、ＯＳＤ６４の代わりに文字多重エンコーダ６６を備える。また、表示装置１０は、ビデオ・レシーバ３２とＬＣＤビデオ・モニタとの間に、多重デコーダ３６とＯＳＤ３８とを備える。さらに、表示装置１０は、信号変換手段３５の代わりに、表示装置１０の動作を制御する制御手段３９を備える。以下に、図３に示す表示装置１０及び測定器５０の動作と異なる動作を説明する。
【００５１】
測定部５７の制御手段５１は、位置２１に対応するポインタ・データを生成しない。
画像処理手段５３のＲＧＢ出力回路は、解像度変換ＬＳＩからの映像データを入力し、映像データをダウンコンバータ６２に出力する。
【００５２】
文字多重エンコーダ６６は、ＮＴＳＣエンコーダ６３からの映像データと制御手段５１からの文字データ（映像信号レベル・データ、判定データ及び表示倍率データ）とを入力する。文字多重エンコーダ６６は、映像データと文字データ（映像信号レベル・データ、判定データ及び表示倍率データ）とを多重する。
【００５３】
表示装置１０の文字多重デコーダ３６は、受信手段３２からのデータを入力する。文字多重デコーダ３６は、このデータを映像データと文字データ（映像信号レベル・データ、判定データ及び表示倍率データ）とを分離し、それらを制御手段３９に出力する。
【００５４】
制御手段３９（例えば、ＣＰＵ）は、映像データ内に指定される位置に対応するポインタ・データを生成する。その後、制御手段３９は、映像データとポインタ・データとを含む合成映像データ３７を生成する。また、制御手段３９は、合成映像データ３７と文字データ（映像信号レベル・データ、判定データ及び表示倍率データ）とをＯＳＤ３８に出力する。
【００５５】
ＯＳＤ３８は、合成映像データ３７の上に文字データ（映像信号レベル・データ、判定データ及び表示倍率データ）が重なるように、表示データを生成する。
（第４の実施の形態）
図５は、無線を介して測定器と通信して映像信号レベルを表示する本発明の表示装置の表示エリアの一例を示す図である。また、図６は、映像信号レベルを表示する本発明の表示装置及び測定器の機能ブロックの一例を示す図である。
【００５６】
図６に示すように、映像信号レベルを表示する本発明の表示装置１０は、携帯可能な端末４０と、測定器５０とデータを通信する通信手段３１２と、を備える。
【００５７】
表示装置１０の端末４０は、ａ）表示エリア２０内に表示される映像２２の任意の位置２１を指定し、位置データを生成する指定手段と、ｂ）映像データと映像信号レベル・データと判定データとポインタ・データとを視覚化し、映像２２と映像信号レベル２３と判定２４とポインタ２１とを表示エリア２０内に表示する表示手段と、を備える。また、本発明の表示装置１０の端末４０は、ｃ）表示装置１０の動作を制御する制御手段を備える。この制御手段は、映像データ内に指定される位置２１に対応するポインタ・データを生成する。
【００５８】
なお、端末４０は、ｄ）映像データを表示する倍率を指定し、倍率データを生成する入力手段２５を備えることもできる。
表示装置１０の通信手段３１２は、ｅ）位置データを測定器５０に対して無線を介して送信する送信手段と、ｆ）映像データと、位置２１に対応する映像信号レベル・データと、判定データと、ポイントデータとを、測定器５０から無線を介して受信する受信手段と、を備える。
【００５９】
また、図６に示すように、測定器５０は、ａ’）測定器５０の動作を制御する制御手段５１と、ｂ’）被撮影物を撮影するビデオ・カメラ（図示せず）から、輝度信号と色差信号とを含む映像出力信号を入力し、その映像出力信号をＲＧＢ化処理して映像データを出力する信号処理回路５２と、ｃ’）映像データを、拡大処理など必要に応じて適宜に解像度変換してＲＧＢデータ形式の映像データを生成する画像処理手段５３を備える。なお、測定部５７は、制御手段５１と信号処理回路５２と画像処理手段５３とを含む。
【００６０】
測定器５０はさらに、ｄ’）表示装置１０と位置データ、倍率データなどのデータを通信する通信手段６１５を備える。
以下に、本発明の表示装置１０及び測定器５０の動作を具体的に説明する。まず、表示装置１０のユーザは、表示エリア２０内に表示された映像データ内の映像信号レベル２３を把握したい位置に、ポインタ２１が位置するように、端末４０（例えば、ＰＤＡ（Ｐｅｒｓｏｎａｌ　Ｄａｔａ　Ａｓｓｉｓｔａｎｔ））の指定手段（例えば、タッチパネル式モニタ、キーパッド等）を操作する。この時、例えば、表示装置１０のユーザは、ＰＤＡ４０のタッチパネル式モニタ（表示手段）に表示される映像２２内のある１点を、指、又はタッチペンで押すことにより、位置２１を指定する。或いは、表示装置１０のユーザは、ＰＤＡ４０の表示手段に表示される映像２２内のポインタ２１を、ある点から他の点までキーパッドで移動させ、ポインタ２１を静止させることにより、位置２１を指定する。
【００６１】
端末４０の制御手段（例えば、ＣＰＵ）は、位置２１が１回指定される毎に（例えば、タッチパネル式モニタが１回押される毎に、或いは、ポインタ２１の移動が終了する毎に）、位置２１に対応する位置データを通信手段３１２から送信するように制御する。
【００６２】
なお、図５に示すように、表示装置１０のユーザが、例えば、ＺＯＯＭ倍率（表示倍率）として、「２倍」を希望する場合、入力手段２５の「▲」を１回押すように操作する。このとき、端末４０の制御手段は、位置データとともに、入力手段２５からの倍率データ（倍率を１倍上げるデータ）を、通信手段３１２から送信するように制御する。
【００６３】
表示装置１０の通信手段３１２は、例えば、無線ＬＡＮカードとアンテナとを備える。無線ＬＡＮカードは、例えば、「ＩＥＥＥ　８０２．１１ｂ」規格の無線ＬＡＮカードである。
【００６４】
測定器５０の通信手段６１５は、位置データ、倍率データなどの伝送データを、無線を介して、表示装置１０から受信する。通信手段６１５は、例えば、無線ＬＡＮステーションとアンテナとを備える。無線ＬＡＮステーションは、例えば、「ＩＥＥＥ　８０２．１１ｂ」規格の無線ＬＡＮステーションである。
【００６５】
測定器５０の制御手段５１（例えば、ＣＰＵ）は、通信手段６１５からの位置データ及び倍率データと、信号処理回路５２からの映像データとを入力する。制御手段５１は、位置データに基づいて、映像データ内に指定される位置２１に対応するポインタ・データを生成する。また、制御手段５１は、映像データ内に指定される位置２１に相当する映像信号レベル２３（ＲＧＢ値及び／又はＹＣｂＣｒ値）を検出する。さらに、制御手段５１は、映像信号レベル２３が所定の範囲内にあるか否かを判定し、判定データを生成する。加えて、制御手段５１は、倍率データに基づいて表示倍率データを決定し、表示倍率データ及び位置データを画像処理手段５３の解像度変換ＬＳＩに出力する。
【００６６】
信号処理回路５２は、被撮影物を撮影するビデオ・カメラからの映像出力信号を、例えば、ＳＤＩ形式で入力する。信号処理回路は、ＲＧＢ化処理してＰＩＣデータ形式（例えば、解像度２１４×１６０画素）の映像データを画像処理手段５３の解像度変換ＬＳＩと制御手段５１とに出力する。
【００６７】
画像処理手段５３の解像度変換ＬＳＩは、表示倍率データ及び位置データに基づいて、映像データを適宜に解像度変換し、変換した映像データを測定器５０の制御手段５１に出力する。
【００６８】
測定器５０の制御手段５１は、解像度変換ＬＳＩからの映像データを入力する。制御手段５１は、適宜に解像度変換された映像データと映像信号レベル・データと判定データとポインタ・データと表示倍率データとを含む表示データを生成する。
【００６９】
この時、表示データは、Ｗｅｂコンテンツ・データ形式のデータ（Ｗｅｂブラウザが解析し、表示できるデータ）であることが好ましい。即ち、表示データは、例えば、映像データとポインタ・データとが重畳されたＪＰＥＧ形式の合成映像データ６７（画像データ）と、映像信号レベル・データと判定データと示倍率データとを含む数値データとからなる。或いは、表示データは、例えば、映像データとポインタ・データと映像信号レベル・データと判定データと表示倍率データとが重畳されたＪＰＥＧ形式の合成映像データ（画像データ）であってもよい。
【００７０】
測定器５０の通信手段６１５は、表示データを、表示装置１０に対して無線を介して、送信する。
表示装置１０の通信手段３１２は、表示データを測定器５０から無線を介して、受信する。
【００７１】
表示装置１０の端末４０が備える表示手段（例えば、タッチパネル式モニタ、ＬＣＤビデオ・モニタ）は、表示データを視覚化する。
なお、端末４０の制御手段側で、ポイント・データを生成し、表示データとポインタ・データとを含む新たな表示データを生成することもできる。
【００７２】
本発明の表示装置１０は、Ｗｅｂブラウザ機能を利用して、データを通信手段で送受信し、また、データを表示手段で視覚化することが好ましい。Ｗｅｂブラウザ機能を有する端末４０として、例えば、ＰＤＡを採用することにより、小型且つ軽量な映像信号レベルを表示する表示装置１０を提供することができる。従って、照明表示装置周辺の作業空間が狭い場合であっても、ウェーブ・フォーム・モニタと比べて小型且つ軽量な表示装置１０をその作業空間に持ち込むことは、容易となる。結果として、表示装置１０のユーザは、容易に、照明表示装置の光源強度を調節することができる。
【００７３】
（他の実施の形態）
なお、第１〜第４の実施の形態に説明した表示装置５０と測定器１０とを一体化することもできる。即ち、測定器１０に表示装置５０の指定手段３０を備えることもできる。ユーザが、測定器の表示手段に表示される映像のある点を指定手段を介して指定することにより、測定器は、映像と映像信号レベルを測定器の表示手段に表示する。
【図面の簡単な説明】
【図１】無線を介して測定器と通信して映像信号レベルを表示する本発明の表示装置の表示エリア及び指定手段の一例を示す図である。
【図２】映像信号レベルを表示する本発明の表示装置及び測定器の機能ブロックの一例を示す図である。
【図３】図２に示す表示装置及び測定器の機能ブロックの変形例を示す図である。
【図４】図３に示す表示装置及び測定器の機能ブロックの変形例を示す図である。
【図５】無線を介して測定器と通信して映像信号レベルを表示する本発明の表示装置の表示エリアの一例を示す図である。
【図６】映像信号レベルを表示する本発明の表示装置及び測定器の機能ブロックの一例を示す図である。
【図７】図７ａは、映像の一例を示す図であり、図７ｂは、図７ａの映像に対応するウェーブ・フォームの一例を示す図である。
【図８】従来のウェーブ・フォーム・モニタに、特許文献１に記載されている従来技術を適用した例を示す図である。
【図１】
2004147005.tif 000003
【図２】
2004147005.tif 000004
【図３】
2004147005.tif 000005
【図４】
2004147005.tif 000006
【図５】
2004147005.tif 000007
【図６】
2004147005.tif 000008
【図７】
2004147005.tif 000009
【図８】
2004147005.tif 000010